(57)【要約】【課題】  フック本体の略Ｕ字状鉤部先端と開閉杆との当接部とが横ズレにより外れてなす環の係止機能が失われる事態を回避し得るなす環を提供すること。【解決手段】  一端側にベルト類挿通部を有し他方端が略Ｕ字形に曲折げられたフック本体１と、一方の端部が前記フック本体のベルト類挿通部付近に固着されその他方の開放端が前記略Ｕ字形部先端に当接するように構成された曲げ板ばね部材２と、前記フック本体ならびに曲げ板ばね部材の両者を一体化するためのかしめ部材３と、からなるなす環において、前記曲げ板ばねの開放端両側部２Ｂが、当接する前記フック本体開放端を包囲する形状に曲折加工され、さらに曲げ板ばね部材２のかしめ固着部にくびれ部３ｃ形成されているなす環である。【選択図】  図１
2005042901.tif 000002
【特許請求の範囲】
【請求項１】
一端側にベルト類挿通部を有し他方端が略Ｕ字形鉤部となるように曲げ加工されたフック本体と、一方の端部が前記フック本体のベルト類挿通部付近に固着されその他方の開放端が前記略Ｕ字形鉤部先端に当接するように構成された曲げ板ばね部材と、前記フック本体ならびに曲げ板ばね部材の両者を一体的に固定するためのかしめ部材と、からなるなす環において、前記曲げ板ばねの開放端両側部が、当接する前記フック本体鉤部開放端を少なくとも部分的に包囲する溝形状に曲折げ加工されたことを特徴とするなす環。
【請求項２】
前記曲げ板ばねのかしめ部分にくびれ部が形成され、前記かしめ部材との係合部におけるズレないし変移が防止されることを特徴とする請求項１に記載のなす環。
【発明の詳細な説明】
【技術分野】
【０００１】  本発明は、各種バッグ、衣嚢その他のザック類、鞄、トランク、その他の蓋−本体間、肩掛けベルト、付属品等を簡易に着脱するために装着されるなす環に関する。
【背景技術】
【０００２】  各種バッグ、衣嚢その他のザック類、各種携帯器具類における肩掛けベルト紐、蓋、付属品等を簡易に着脱するための着脱可能装着具として、多くの形状、寸法、材質によるなす環が使用される。これらなす環は、元来は野菜の茄子の形状の金具でその一部には、付勢されたばねによる復元力を持った分割部材が設けられており、ロープ、鉤、他の環状体等に簡易に着脱し得る金具として利用されていた。このようななす環に対して形状、構造は異なる極めて多様ななす環が製造され、バッグ、カバン、携帯器具類の肩掛けベルト、紐、蓋、付属品類に関する着脱容易な装着具として広く利用されている。【０００３】  フック本体ならびに弾性体として材質も強固な鋼材をはじめとする各種金属製のなす環はもとより、弾性を備えた合成樹脂製なす環も多く使用されている。金属製なす環は強度および耐久性には優れているものの重量が嵩み高価となる傾向がある。また、合成樹脂製なす環は軽量、廉価である上、射出や押出による成形品であり形状、色彩等の自由度は高く廉価であるが、耐熱性、耐摩耗性などに問題があり耐久性や衝撃強度の点で十分なものは得られない。これらのなす環は、フック本体の鉤部先端と開閉杆である弾性体先端部との係合が外れやすく、紐、ベルト、口金等が離脱する危険性があった。かかる事態を考慮して金属板製フック本体の鉤部側に開閉杆の横ズレを防止する突起を両側に曲げ加工したものが知られている。しかし、このような解決法ではフック本体の鉤部側の素材、構造等により実現困難なものが多い。例えば、フック本体が大きな重量を支えるために丸棒または角棒などの鋼材で構成される場合には突起を形成することは容易ではない。【０００４】  かかるなす環の先行技術として、特許文献１および２は、薄鋼板を打ち抜きおよび曲げ加工した簡易な構造でボールチェーンへの装着に適する小形の「なす環」を開示している。また、特許文献３は、カバンに装着するのに適する「カバン用なす環」を開示している。さらに、特許文献４は、合成樹脂を素材とする成形品である軽量かつ小形の「合成樹脂製なす環」を開示している。しかし、上述のようなフック本体の鉤部先端と開閉杆である弾性体先端部との係合が外れ難くなるような配慮は、専ら薄鋼板で構成されたフック本体の鉤部先端でなされているものが散見されるに過ぎない。
【特許文献１】    特開平０９−１４４７４１号公報
【特許文献２】    特開平１０−０３０６２４号公報
【特許文献３】    特開平０９−２２０１１２号公報
【特許文献４】    特開平０９−０８８９３２号公報
【発明の開示】
【発明が解決しようとする課題】
【０００５】  本発明が解決しようとする課題は、堅固な鋼材で構成されたフック本体の略Ｕ字状鉤部先端と開閉杆との当接部とが横ズレ等に係合対象から外れて、なす環本来の係止機能が失われる事態を回避することができる堅固な構造のなす環を提供することにある。
【課題を解決するための手段】
【０００６】  本発明の課題は、一端側にベルト類挿通部を有し他方端が略Ｕ字形鉤部となるように曲げ加工されたフック本体と、一方の端部が前記フック本体のベルト類挿通部付近に固着されその他方の開放端が前記略Ｕ字形鉤部先端に当接するように構成された曲げ板ばね部材と、前記フック本体ならびに曲げ板ばね部材の両者を一体的に固定するためのかしめ部材と、からなるなす環において、前記曲げ板ばねの開放端両側部が、当接する前記フック本体鉤部開放端を少なくとも部分的に包囲する溝形状に曲折げ加工されているなす環によって解決される。また、上記曲げ板ばねのかしめ部にくびれ部を形成し、前記かしめ部材による固着部によって曲げ板ばね部材の変移を防止するなす環により有利に解決される。
【発明の効果】
【０００７】  このようななす環の開閉杆である曲げ板ばね材の開閉端部は、堅固な鋼材で構成されたフック本体鉤部先端を少なくとも部分的に包囲する溝形状となるように曲げ加工されており、さらに、フック本体とのかしめ部材により堅牢に固定されている。このように、開閉杆である曲げ板ばね材の開閉端部はフック本体鉤部先端を両側から部分的に包み込む溝形状となっており、また根元側はかしめ部材によりフック本体のベルト挿通環状部付近に堅牢に固着せしめられている結果、曲げ板ばね先端が横ズレなどの変移を起こすことはなく、したがって、係合の相手方であるリング状体、ワイヤ・紐などの環状部、相手方係止部などとの係合が極めて外れ難い形状および構造となっている。さらに、曲げ板ばねの根元部にはかしめ部材により確実に固定されるくびれ部が形成されており、曲げ板ばねの縦方向ないし左右方向などの変移が防止される。この種のなす環は肩掛けベルトと携行対象物体や鞄、衣嚢その他ザック等との接合部に相当する結果、不所望な離脱によって生ずる可能性のある携行対象物体が落下し、さらには蓋、カバー類の望ましくない開放に伴う紛失、盗難などの発生を未然に防止することができる。
【発明を実施するための最良の形態】
【０００８】  以下、添付図を参照しつつ本発明を実施するための最良の形態について開示する。図１は本発明にかかるなす環の構成を示す平面図（図Ａ）および側面図（図Ｂ）である。このように構成されたなす環は、丸鋼棒材を曲げ加工した強固なフック本体１と、板ばね材を不等長Ｖ字形に曲げ加工した曲げ板ばね２と、これら両部材をベルト類固着用の方形環状部１Ｒ付近において一体化するためのかしめ部材３とから構成される。このかしめ部材３は、現場用語では「はかま」と呼ばれている。【０００９】  図２は、本発明にかかるなす環の構成要素の一つであるフック本体１の平面図（図Ａ）および側面図（図Ｂ）を示すものである。本実施例において、フック本体１は、十分な強度を有する丸鋼棒をプレスその他手段により曲げ加工したもので、ベルト類固着用の環状部１Ｒが形成されると共に他端側には略Ｕ字形に曲げ加工した鉤部（フック部）が形成される。この鉤部の先端１Ｅは、図１の側面図（図Ｂ）から明らかなように、曲げ板ばね材２と当接する。この曲げ板ばね２は、図右側からの押圧にしたがって双頭白抜き矢印のように自在に運動し、鉤部先端１Ｅとの間が接離（開閉）可能となっている。【００１０】  図３は打ち抜き加工された曲げ板ばね２の平面図（図Ａ）および側面図（図Ｂ）を示すものである。図Ａの平面図によれば、左端は板ばね材の破線で示した曲げ加工しろａを図Ｂのように上方曲げ加工部２Ｂを形成したもので、この上方曲げ加工部２Ｂが図２（図Ｂ）に示した鉤部の先端１Ｅを、横ズレすることなく確実に受容する寸法および形状にプレス加工される。この素材としては各種板ばね材が使用可能であるが、例えばＳＵＳ３０４やベーナイトなどが使用できる。図Ａの右端側に形成されるくびれ部２ｃは図１の側面図（図Ｂ）並びに図４に示すかしめ部材３によるかしめ処理によって固着する際に曲げ板ばね２のすべりや曲がり等の変移を防ぎながら堅固に固着するために有用である。この板ばね材２は図２の側面図（図Ｂ）の破線ｄのように折り曲げ基準線ｂを基準として不等長の略Ｖ字形状（海老状板ばね）に曲げ加工される。これら両部材を一体化するかしめ部材３は、略Ｖ字形に曲げ加工された曲げ板ばね２の折り曲げ部がフック本体のベルト類装着用の環状部１Ｒ付近に合わせてプレスにより強固にかしめて一体化するものである。【０００９】  図４はフック本体１の強度に相応しい強度を有する鋼板から打ち抜き加工されたかしめ部材（はかま）３の平面図（図Ａ）および側面図（図Ｂ）の構成例を示すものである。特に図Ｂの側面図では、フック本体１および曲げ板ばね材２との相対関係を示している。かしめ部材３は、フック本体１の鉤部の根元に当たる横部材を巻き込むように白頭矢印のように左側に折り曲げられ、その外部に曲げ板ばね２の短尺折り曲げ部を重ね合わせ、かしめ片３Ｋによりフック本体１、かしめ部材３、曲げ板ばね２が一体化される。この場合、曲げ板ばね２のくびれ部２ｃとかしめ部材３のくびれ部３ｃとが重畳するように重ね合わされた部分に、かしめ部材３のかしめ片３Ｋが重なり合うため、曲げ板ばね２の定位置に対して横ズレや縦方向の変移が生ずる事態は確実に防止でき、所期の目的が達成できる。
【図面の簡単な説明】
【符号の説明】
１    フック本体
１Ｅ  鉤部先端
１Ｒ  方形環状部
２    曲げ板ばね
２Ｂ  フック先端部受け
２ｃ、３ｃ  くびれ部
３    かしめ部材（はかま）
３ｋ  かしめ片
【図１】
2005042901.tif 000003
【図２】
2005042901.tif 000004
【図３】
2005042901.tif 000005
【図４】
2005042901.tif 000006
【手続補正書】
【提出日】平成15年12月22日(2003.12.22)
【手続補正２】
【補正対象書類名】明細書
【補正対象項目名】全文
【補正方法】変更
【補正の内容】
【発明の詳細な説明】
【技術の分野】
【０００１】  本発明は、各種バッグ、衣嚢その他のザック類、鞄、トランク、その他の蓋−本体間、肩掛けベルト、付属品等を簡易に着脱するために装着されるなす環に関する。
【背景技術】
【０００２】  各種バッグ、衣嚢その他のザック類、各種携帯器具類における肩掛けベルト、紐、蓋、付属品等を簡易に着脱するための着脱可能装着具として、多くの形状、寸法、材質によるなす環が使用される。これらなす環は、元来は野菜の茄子の形状の金具でその一部には、付勢されたばねによる復元力を持った分割部材が設けられており、ロープ、鉤、他の環状体等に簡易に着脱し得る金具として利用されていた。このようななす環に対して形状、構造は異なる極めて多様ななす環が製造され、バッグ、カバン、携帯器具類の肩掛けベルト、紐、蓋、付属品類に関する着脱容易な装着具として広く利用されている。【０００３】  フック本体ならびに弾性体として材質も強固な鋼材をはじめとする各種金属製のなす環はもとより、弾性を備えた合成樹脂製なす環も多く使用されている。金属製なす環は強度および耐久性には優れているものの重量が嵩み高価となる傾向がある。また、合成樹脂製なす環は軽量、廉価である上、射出や押出による成形品が利用可能であり、その形状、色彩等の自由度は高く廉価であるが、耐熱性、耐摩耗性などに問題があり耐久性や衝撃強度の点で十分なものは得られない。これらのなす環は、フック本体の鉤部先端と開閉杆である弾性体先端部との係合が外れやすく、紐、ベルト、口金等が離脱する危険性があった。かかる事態を考慮して金属板製フック本体の鉤部側に開閉杆の横ズレを防止する突起を両側に曲げ加工したものが知られている。しかし、このような解決法ではフック本体の鉤部側の素材、構造等により実現困難なものが多い。例えば、フック本体が大きな重量を支えるために丸棒または角棒などの鋼材で構成される場合には突起を形成することは容易ではない。【０００４】かかるなす環の先行技術として、特許文献１および２は、薄鋼板を打ち抜きおよび曲げ加工した簡易な構造でボールチェーンへの装着に適する小形の「なす環」を開示している。また、特許文献３は、カバンに装着するのに適する「カバン用なす環」を開示している。さらに、特許文献４は、合成樹脂を素材とする成形品である軽量かつ小形の「合成樹脂製なす環」を開示している。しかし、上述のようなフック本体の鉤部先端と開閉杆である弾性体先端部との係合が外れ難くなるような配慮は、専ら薄鋼板で構成されたフック本体の鉤部先端でなされているものが散見されるに過ぎない。
【特許文献１】    特開平０９−１４４７４１号公報
【特許文献２】    特開平１０−０３０６２４号公報
【特許文献３】    特開平０９−２２０１１２号公報
【特許文献４】    特開平０９−０８８９３２号公報
【発明の開示】
【発明が解決しようとする課題】
【０００５】  本発明が解決しようとする課題は、堅固な鋼材で構成されたフック本体の略Ｕ字状鉤部先端と開閉杆との当接部とが横ズレ等に係合対象から外れて、なす環本来の係止機能が失われる事態を回避することができる堅固な構造のなす環を提供することにある。
【課題を解決するための手段】
【０００６】  本発明の課題は、一端側にベルト類挿通部を有し他方端が略Ｕ字形鉤部となるように曲げ加工されたフック本体と、一方の端部が前記フック本体のベルト類挿通部付近に固着されその他方の開放端が前記略Ｕ字形鉤部先端に当接するように構成された曲げ板ばね部材と、前記フック本体ならびに曲げ板ばね部材の両者を一体的に固定するためのかしめ部材と、からなるなす環において、前記曲げ板ばねの開放端両側部が、当接する前記フック本体鉤部開放端を少なくとも部分的に包囲する溝形状に曲折げ加工されているなす環によって解決される。また、上記曲げ板ばねのかしめ部にくびれ部を形成し、前記かしめ部材による固着部によって曲げ板ばね部材の変移を防止するなす環により有利に解決される。
【発明の効果】
【０００７】  このようななす環の開閉杆である曲げ板ばね材の開閉端部は、堅固な鋼材で構成されたフック本体鉤部先端を少なくとも部分的に包囲する溝形状となるように曲げ加工されており、さらに、フック本体とのかしめ部材により堅牢に固定されている。このように、開閉杆である曲げ板ばね材の開閉端部はフック本体鉤部先端を両側から部分的に包み込む溝形状となっており、また根元側はかしめ部材によりフック本体のベルト挿通環状部付近に堅牢に固着せしめられている結果、曲げ板ばね先端が横ズレなどの変移を起こすことはなく、したがって、係合の相手方であるリング状体、ワイヤ・紐などの環状部、相手方係止部などとの係合が極めて外れ難い形状および構造となっている。さらに、曲げ板ばねの根元部にはかしめ部材により確実に固定されるくびれ部が形成されており、曲げ板ばねの縦方向ないし左右方向などの変移が防止される。この種のなす環は肩掛けベルトと動力刈り払い機、噴霧器等のような肩掛け作業具その他の携行対象物体や鞄、衣嚢その他ザック等との接合部に相当する結果、不所望な離脱によって生ずる可能性のある携行対象物体が落下し、さらには蓋、カバー類の望ましくない開放に伴う紛失、盗難などの発生を未然に防止することができる。
【発明を実施するための最良の形態】
【０００８】  以下、添付図を参照しつつ本発明を実施するための最良の形態について開示する。図１は本発明にかかるなす環の構成を示す平面図（図Ａ）および側面図（図Ｂ）である。このように構成されたなす環は、丸鋼棒材を曲げ加工した強固なフック本体１と、板ばね材を不等長Ｖ字形に曲げ加工した曲げ板ばね２と、これら両部材をベルト類固着用の方形環状部１Ｒ付近において一体化するためのかしめ部材３とから構成される。このかしめ部材３は、現場用語では「はかま」と呼ばれている。【０００９】  図２は、本発明にかかるなす環の構成要素の一つであるフック本体１の平面図（図Ａ）および側面図（図Ｂ）を示すものである。本実施例において、フック本体１は、十分な強度を有する丸鋼棒をプレスその他手段により曲げ加工したもので、ベルト類固着用の環状部１Ｒが形成されると共に他端側には略Ｕ字形に曲げ加工した鉤部（フック部）が形成される。この鉤部の先端１Ｅは、図１の側面図（図Ｂ）から明らかなように、曲げ板ばね材２と当接する。この曲げ板ばね２は、図右側からの押圧にしたがって双頭白抜き矢印のように自在に運動し、鉤部先端１Ｅとの間が接離（開閉）可能となっている。【００１０】図３は打ち抜き加工された曲げ板ばね２の平面図（図Ａ）および側面図（図Ｂ）を示すものである。図Ａの平面図によれば、左端は板ばね材の破線で示した曲げ加工しろａを図Ｂのように上方曲げ加工部２Ｂを形成したもので、この上方曲げ加工部２Ｂが図２（図Ｂ）に示した鉤部の先端１Ｅを、横ズレすることなく確実に受容する寸法および形状にプレス加工される。この素材としては各種板ばね材が使用可能であるが、例えばＳＵＳ３０４やベーナイトなどが使用できる。図Ａの右端側に形成されるくびれ部２ｃは図１の側面図（図Ｂ）並びに図４に示すかしめ部材３によるかしめ処理によって固着する際に曲げ板ばね２のすべりや曲がり等の変移を防ぎながら堅固に固着するために有用である。この板ばね材２は図２の側面図（図Ｂ）の破線ｄのように折り曲げ基準線ｂを基準として不等長の略Ｖ字形状（海老状板ばね）に曲げ加工される。これら両部材を一体化するかしめ部材３は、略Ｖ字形に曲げ加工された曲げ板ばね２の折り曲げ部がフック本体のベルト類装着用の環状部１Ｒ付近に合わせてプレスにより強固にかしめて一体化するものである。【００１１】図４はフック本体１の強度に相応しい強度を有する鋼板から打ち抜き加工されたかしめ部材（はかま）３の平面図（図Ａ）および側面図（図Ｂ）の構成例を示すものである。特に図Ｂの側面図では、フック本体１および曲げ板ばね材２との相対関係を示している。かしめ部材３は、フック本体１の鉤部の根元に当たる横部材を巻き込むように白頭矢印のように左側に折り曲げられ、その外部に曲げ板ばね２の短尺折り曲げ部を重ね合わせ、かしめ片３Ｋによりフック本体１、かしめ部材３、曲げ板ばね２が一体化される。この場合、曲げ板ばね２のくびれ部２ｃとかしめ部材３のくびれ部３ｃとが重畳するように重ね合わされた部分に、かしめ部材３のかしめ片３Ｋが重なり合うため、曲げ板ばね２の定位置に対して横ズレや縦方向の変移が生ずる事態は確実に防止でき、所期の目的が達成できる。
【図面の簡単な説明】
【００１２】
【図１】  なす環の構成を示す平面図（Ａ）および側面図（Ｂ）である。
【図２】  フック本体の平面図（Ａ）および側面図（Ｂ）である。
【図３】  曲げ板ばねの平面図（Ａ）および側面図（Ｂ）である。
【図４】  かしめ部材の平面図（Ａ）および側面図（Ｂ）である。
【符号の説明】
【００１３】１    フック本体
１Ｅ  鉤部先端
１Ｒ  方形環状部
２    曲げ板ばね
２Ｂ  フック先端部受け
２ｃ、３ｃ  くびれ部
３    かしめ部材（はかま）
３ｋ  かしめ片